(57)【特許請求の範囲】
【請求項１】
ソケットが着脱自在に接続されるプラグと、前記プラグに前記ソケットが接続されたソケット接続状態を解除するために前記プラグの側方に位置する脱レバーとを備えたガスコンセントに対して着脱自在に構成され、前記ソケットが前記プラグから取り外された状態で利用されるガスコンセント用の保護キャップであって、
前記プラグに被せる有底筒状のキャップ本体部、前記キャップ本体部が前記プラグに被せられた被冠状態で、前記脱レバーにおける少なくとも前記プラグの先端側を覆うレバー覆い部、及び、前記被冠状態で前記ガスコンセントの脱レバーに係合して前記キャップ本体部が前記プラグから離脱するのを防止し且つ前記被冠状態で前記脱レバーに対する係合を解除可能な係合部が一体的に備えられているガスコンセント用の保護キャップ。
【請求項２】
前記脱レバーが、前記ソケット接続状態を解除するための操作部を備え、
前記レバー覆い部が、前記操作部における少なくとも前記プラグの先端側の面を覆うように構成されている請求項１に記載のガスコンセント用の保護キャップ。
【請求項３】
前記脱レバーが、軸部により揺動自在に支持された解除作動部を備えると共に、前記操作部を前記軸部から前記解除作動部とは反対側に延びる状態で備え、並びに、前記解除作動部が前記プラグの段部に当接した解除待機状態から、前記操作部の揺動操作により前記解除作動部が前記段部から離間して前記ソケット接続状態を解除するように構成され、
前記係合部が、前記解除待機状態にある前記脱レバーの前記操作部に係合する請求項２に記載のガスコンセント用の保護キャップ。
【請求項４】
前記操作部が、前記プラグから離間する側に切り欠き部を有する二股状の二股操作部として構成され、
前記レバー覆い部が、前記二股操作部を覆う一対のカバー部を備え、且つ、それら一対のカバー部が前記キャップ本体部の側方に突出して設けられ、
前記係合部が、長尺状に構成されて、その長手方向を前記キャップ本体部の軸心に沿わせて前記切り欠き部を通る姿勢で、前記二股操作部の連結部に係合するように構成されている請求項２又は３に記載のガスコンセント用の保護キャップ。
【請求項５】
補強用のリブが、前記一対のカバー部の夫々と前記キャップ本体部とに跨って、前記カバー部の突出方向に沿って設けられている請求項４に記載のガスコンセント用の保護キャップ。
【請求項６】
ソケットが着脱自在に接続されるプラグと、前記プラグに前記ソケットが接続されたソケット接続状態を解除するために前記プラグの側方に位置する脱レバーとを備えたガスコンセントに対して着脱自在に構成され、前記ソケットが前記プラグから取り外された状態で利用されるガスコンセント用の保護キャップであって、
前記プラグに被せる有底筒状のキャップ本体部、前記キャップ本体部が前記プラグに被せられた被冠状態で、前記脱レバーにおける少なくとも前記プラグの先端側を覆うレバー覆い部、及び、前記被冠状態で前記ガスコンセントの被係合部に係合して前記キャップ本体部が前記プラグから離脱するのを防止し且つ前記被係合部に対する係合を解除可能な係合部が一体的に備えられ、
前記プラグの外周部に、前記ソケット内に設けられた被係合体が係脱自在な凹溝部が、前記被係合部として設けられ、
前記係合部として、当該凹溝部に嵌まり込む突起部が前記キャップ本体部の内面に設けられ、
前記脱レバーが、前記ソケット接続状態を解除するための操作部を備え、
前記レバー覆い部が、前記操作部における少なくとも前記プラグの先端側の面を覆うガスコンセント用の保護キャップ。
【発明の詳細な説明】
【技術分野】
【０００１】
本発明は、ソケットが着脱自在に接続されるプラグと、前記プラグに前記ソケットが接続されたソケット接続状態を解除するために前記プラグの側方に位置する脱レバーとを備えたガスコンセントに被せるためのガスコンセント用の保護キャップに関する。
【背景技術】
【０００２】
かかるガスコンセント用の保護キャップ（以下、単に保護キャップと記載する場合がある）を被せる対象となるガスコンセントは、ガスファンヒータ等のガス消費機器から引き出されたガスホースの先端のソケットを接続することにより、ガス消費機器にガス燃料を供給するものであり、例えば住宅の壁面等に設けられる。
ガスコンセントには、ソケットが着脱自在に接続されるプラグと、プラグにソケットが接続されたソケット接続状態を解除する脱レバーとが備えられ、その脱レバーはプラグの側方に位置するように備えられている（例えば、特許文献１参照。）。
【０００３】
ところで、このようなガスコンセントは、住宅等の壁面を形成する壁面形成材の裏面側に取り付けられ、壁面形成材にはガスコンセントを外部に臨ませるための開口部が形成され、更に、壁面形成材の開口部には、その開口部を覆う表カバーが着脱自在に取り付けられる。
そして、上記特許文献１には記載されていないが、ガスコンセントの保管中やガスコンセントの設置箇所への運搬中、並びに、ガスコンセントが壁面形成材の裏面側に取り付けられた後、周辺の作業が終了して壁面形成材の開口部に表カバーが取り付けられるまでの間は、ガスコンセントのプラグに傷が付いたり、プラグ内にほこり等の異物が入り込むのを防止するために、ガスコンセントに保護キャップが被せられることになる。
従来では、このような保護キャップは、プラグに被せることが可能な有底円筒状に形成されて、全体形状が有底円筒とされていた。
【先行技術文献】
【特許文献】
【０００４】
【特許文献１】特開２００５−１８０６８５号公報
【発明の概要】
【発明が解決しようとする課題】
【０００５】
しかしながら、従来の保護キャップは全体形状が有底円筒状であり、その有底円筒状の保護キャップをプラグに被せた状態では、プラグの側方に位置している脱レバーが保護されないので、脱レバーが損傷する虞があった。
又、有底円筒状の保護キャップを単にプラグに被せるだけであるので、保護キャップがプラグから離脱し易く、ガスコンセントの運搬中や、ガスコンセントが取り付けられた後、周辺の作業が終了するまでの間に、プラグに被せられている保護キャップに他物が当たったり作業者が触れたりすると、保護キャップがプラグから離脱するという問題もあった。
従って、従来の保護キャップでは、ガスコンセントに被せていても、脱レバーを保護することができず、又、プラグから離脱し易いので、ガスコンセントを適切に保護する上で改善の余地があった。
【０００６】
本発明は、かかる実情に鑑みてなされたものであり、その目的は、ガスコンセントを保護する性能を向上し得るガスコンセント用の保護キャップを提供することにある。
【課題を解決するための手段】
【０００７】
本発明に係るガスコンセント用の保護キャップは、ソケットが着脱自在に接続されるプラグと、前記プラグに前記ソケットが接続されたソケット接続状態を解除するために前記プラグの側方に位置する脱レバーとを備えたガスコンセントに対して着脱自在に構成され、前記ソケットが前記プラグから取り外された状態で利用されるガスコンセント用の保護キャップであって、
前記プラグに被せる有底筒状のキャップ本体部、前記キャップ本体部が前記プラグに被せられた被冠状態で、前記脱レバーにおける少なくとも前記プラグの先端側を覆うレバー覆い部、及び、前記被冠状態で前記ガスコンセントの脱レバーに係合して前記キャップ本体部が前記プラグから離脱するのを防止し且つ前記被冠状態で前記脱レバーに対する係合を解除可能な係合部が一体的に備えられている点にある。
【０００８】
上記特徴構成によれば、キャップ本体部をプラグに被せる被冠状態で、保護キャップをガスコンセントに被せると、レバー覆い部により脱レバーにおける少なくともプラグの先端側が覆われ、並びに、係合部がガスコンセントの脱レバーに係合する。
【０００９】
つまり、保護キャップをガスコンセントに被せると、係合部がガスコンセントの脱レバーに係合して、保護キャップがガスコンセントから離脱し難いので、ガスコンセントの運搬中や、ガスコンセントが取り付けられた後、周辺の作業が終了するまでの間に、ガスコンセントに被せられている保護キャップに、他物が当たったり作業者が触れたりしても、保護キャップがガスコンセントから離脱するのを防止することができる。
又、保護キャップをガスコンセントに被せると、キャップ本体部がプラグに被せられる状態になってプラグを保護することができると共に、レバー覆い部により脱レバーが覆われる状態となって脱レバーを保護することができるので、プラグに傷が付いたり、プラグ内に異物が入り込むのや、脱レバーが損傷するのを防止することができる。
そして、脱レバーに対する係合部の係合を解除すれば、保護キャップをコンセントから取り外すことができるので、ガスコンセントを取り付けた後、周辺の作業も終了して、壁面形成材の開口部に表カバーを取り付けるときには、保護キャップをコンセントから取り外してから、表カバーを取り付けることになる。
従って、ガスコンセントを保護する性能を向上し得るガスコンセント用の保護キャップを提供することができるようになった。
しかも、ガスコンセントに本来設けられている脱レバーに係合する係合部を保護キャップに設けたので、ガスコンセントになんら変更を加えることなく、本発明による保護キャップを適用することができる。
更に、保護キャップを脱レバーに係合させる構成としたので、ガスコンセントの組み立て時に、脱レバーの組み付け忘れや組み付け状態の不良があると、保護キャップをガスコンセントに被せても脱レバーへの係合ができない。
よって、製造段階における保護キャップの取付時に、脱レバーの取付不備を検知することができる。
【００１０】
本発明に係るガスコンセント用の保護キャップの更なる特徴構成は、
前記脱レバーが、前記ソケット接続状態を解除するための操作部を備え、
前記レバー覆い部が、前記操作部における少なくとも前記プラグの先端側の面を覆うように構成されている点にある。
【００１１】
上記特徴構成によれば、保護キャップをガスコンセントに被せると、レバー覆い部により脱レバーの操作部における少なくともプラグの先端側の面が覆われる。
一般に、脱レバーの操作部は、ソケット接続状態の解除操作を容易にするために、プラグの側方に突出するように備えられるので、脱レバーが保護されていない状態では、脱レバーの操作部が損傷し易い。
そこで、保護キャップのレバー覆い部により、脱レバーの操作部における少なくともプラグの先端側の面が覆うようにすることにより、脱レバーを的確に保護することができる。
【００１２】
本発明に係るガスコンセント用の保護キャップの更なる特徴構成は、
前記脱レバーが、軸部により揺動自在に支持された解除作動部を備えると共に、前記操作部を前記軸部から前記解除作動部とは反対側に延びる状態で備え、並びに、前記解除作動部が前記プラグの段部に当接した解除待機状態から、前記操作部の揺動操作により前記解除作動部が前記段部から離間して前記ソケット接続状態を解除するように構成され、
前記係合部が、前記解除待機状態にある前記脱レバーの前記操作部に係合する点にある。
【００１３】
上記特徴構成によれば、プラグにソケットが接続されたソケット接続状態では、脱レバーの解除作動部はプラグの段部に当接した解除待機状態となっている。そのソケット接続状態で、操作部を揺動操作して解除作動部をプラグの段部から離間させると、ソケット接続状態が解除されるので、ソケットがプラグから離間する。
そして、保護キャップをガスコンセントに被せると、係合部は解除待機状態にある脱レバーの操作部に係合する。
【００１４】
つまり、脱レバーの解除作動部は、プラグの段部に当接する解除待機状態の位置から、ソケット接続状態を解除するために、プラグの段部から離間する方向（即ち、プラグの先端側の方向）に揺動自在である。
そこで、係合部を、解除待機状態にある脱レバーの操作部に係合するように構成することにより、保護キャップをガスコンセントに被せると、キャップ本体によりプラグ全体を確実に覆った状態で、係合部を脱レバーの操作部に係合させることができる。この係合状態では、脱レバーの解除作動部がプラグの段部に当接して、脱レバーの操作部は係合部との係合を解除する方向には揺動しないものとなる。
従って、保護キャップにより、脱レバーを揺動操作自在に設けたガスコンセントも的確に保護することができる。
【００１５】
本発明に係るガスコンセント用の保護キャップの更なる特徴構成は、
前記操作部が、前記プラグから離間する側に切り欠き部を有する二股状の二股操作部として構成され、
前記レバー覆い部が、前記二股操作部を覆う一対のカバー部を備え、且つ、それら一対のカバー部が前記キャップ本体部の側方に突出して設けられ、
前記係合部が、長尺状に構成されて、その長手方向を前記キャップ本体部の軸心に沿わせて前記切り欠き部を通る姿勢で、前記二股操作部の連結部に係合するように構成されている点にある。
【００１６】
上記特徴構成によれば、保護キャップをガスコンセントに被せると、レバー覆い部の一対のカバー部により、二股操作部におけるプラグの先端側が覆われ、並びに、長尺状の係合部が、長手方向をキャップ本体部の軸心に沿わせて切り欠き部を通る姿勢で、二股操作部の連結部に係合する。
【００１７】
つまり、レバー覆い部に脱レバーの二股操作部を覆う一対のカバー部が備えられ、並びに、長尺状の係合部が、その長手方向をキャップ本体部の軸心に沿わせて切り欠き部を通る姿勢で、二股操作部の連結部に係合させる構成であるので、二股操作部を的確に覆うことができ、しかも、長尺状の係合部を備えた保護キャップをコンパクトに構成することができる。
従って、保護キャップにより、脱レバーの操作部を二股状にしたガスコンセントを的確に保護することができ、しかも、そのような保護キャップのコンパクト化を図ることができる。
【００１８】
本発明に係るガスコンセント用の保護キャップの更なる特徴構成は、
補強用のリブが、前記一対のカバー部の夫々と前記キャップ本体部とに跨って、前記カバー部の突出方向に沿って設けられている点にある。
【００１９】
上記特徴構成によれば、一対のリブにより、キャップ本体部や一対のカバー部の形状が変形し難くなり、又、キャップ本体部に対する一対のカバー部の姿勢が変わり難くなる。
そして、保護キャップをガスコンセントに被せるときは、例えば、親指と人差し指等の２本の指で一対のリブを持って、保護キャップをガスコンセントに被せることができる。
又、保護キャップをガスコンセントから取り外すときは、例えば、親指と中指で一対のリブを持って、人差し指で係合部を解除操作し、解除操作が終わればそのまま持ち上げると、保護キャップをガスコンセントから取り外すことができる。
従って、保護キャップについて、変形し難く、しかも、ガスコンセントに対する着脱がし易いようにすることができるようになった。
【００２０】
本発明に係るガスコンセント用の保護キャップは、ソケットが着脱自在に接続されるプラグと、前記プラグに前記ソケットが接続されたソケット接続状態を解除するために前記プラグの側方に位置する脱レバーとを備えたガスコンセントに対して着脱自在に構成され、前記ソケットが前記プラグから取り外された状態で利用されるガスコンセント用の保護キャップであって、
前記プラグに被せる有底筒状のキャップ本体部、前記キャップ本体部が前記プラグに被せられた被冠状態で、前記脱レバーにおける少なくとも前記プラグの先端側を覆うレバー覆い部、及び、前記被冠状態で前記ガスコンセントの被係合部に係合して前記キャップ本体部が前記プラグから離脱するのを防止し且つ前記被係合部に対する係合を解除可能な係合部が一体的に備えられ、
前記プラグの外周部に、前記ソケット内に設けられた被係合体が係脱自在な凹溝部が、前記被係合部として設けられ、
前記係合部として、当該凹溝部に嵌まり込む突起部が前記キャップ本体部の内面に設けられ、
前記脱レバーが、前記ソケット接続状態を解除するための操作部を備え、
前記レバー覆い部が、前記操作部における少なくとも前記プラグの先端側の面を覆う点にある。
【００２１】
上記特徴構成によれば、キャップ本体部をプラグに被せる被冠状態で、保護キャップをガスコンセントに被せると、レバー覆い部により脱レバーにおける少なくともプラグの先端側が覆われ、並びに、キャップ本体部の内面から突出する突起部がプラグの外周部の環状の凹溝部に嵌まり込む。
【００２２】
つまり、保護キャップをガスコンセントに被せると、キャップ本体部の内面の突起部がプラグの環状の凹溝部に嵌まり込んで、保護キャップがガスコンセントから離脱するのを防止することができ、又、請求項１に記載の発明と同様に、プラグに傷が付いたり、プラグ内に異物が入り込むのや、脱レバーが損傷するのを防止することができる。
そして、保護キャップをガスコンセントから取り外すときは、キャップ本体部をプラグの先端側に引っ張ると、キャップ本体部の内面の突起部がプラグの環状の凹溝部から抜け出て、保護キャップをガスコンセントから取り外すことができる。
従って、ガスコンセントを保護する性能を向上し得るガスコンセント用の保護キャップを提供することができるようになった。
しかも、係合部を保護キャップの外周部から突出させることなく設けることができるので、保護キャップのコンパクト化を図ることができるようになった。
【図面の簡単な説明】
【００２３】
【図１】壁面形成材に取り付けられた状態でのガスコンセントの横断平面図
【図２】壁面形成材に取り付けられ且つソケットが接続された状態でのガスコンセントの横断平面図
【図３】壁面形成材に取り付けられ且つソケットの接続が解除された状態でのガスコンセントの横断平面図
【図４】壁面形成材に対するガスコンセントの取付構造を示す分解斜視図
【図５】表カバー及びガスコンセントの裏面側からの斜視図
【図６】ガスコンセントにおける脱レバーを分離した状態での斜視図
【図７】第１実施形態に係る保護キャップにおけるキャップ本体部の軸心方向視での図
【図８】第１実施形態に係る保護キャップが分離された状態でのガスコンセントの要部の斜視図
【図９】第１実施形態に係る保護キャップが被せられた状態でのガスコンセントの要部の斜視図
【図１０】第１実施形態に係る保護キャップが壁面形成材に取り付けられたガスコンセントに被せられた状態を示す横断平面図
【図１１】第１実施形態に係る保護キャップが壁面形成材に取り付けられたガスコンセントから取り外された状態を示す横断平面図
【図１２】第２実施形態に係る保護キャップを壁面形成材に取り付けられたガスコンセントから分離した状態で示す横断平面図
【図１３】別実施形態に係る保護キャップをガスコンセントと分離した状態で示す斜視図
【発明を実施するための形態】
【００２４】
本発明によるガスコンセント用の保護キャップにつき、その実施形態を図面に基づいて説明する。
〔第１実施形態〕
先ず、第１実施形態を説明する。
本発明の対象となるガスコンセントとしては、例えば、図１に示すように、壁面形成材Ｗに形成された開口部Ｗ１に臨む状態で、壁面形成材Ｗの裏面側に配設されたガス管Ｐに取り付けられる埋設式のガスコンセント１がある。
このガスコンセント１は、図２及び図３にも示すように、円筒状のプラグ２を備え、そのプラグ２にソケット３を外嵌して押し込むことにより、プラグ２に対してソケット３がワンタッチで接続されるとともに、ソケット３の先端にある進退筒３ａが進出して接続がロックされ、且つ、ガスコンセント１内に設けられた開閉弁（図示せず）が開弁して、ガス管Ｐからのガスがプラグ２を介してソケット３側へ流入するように構成されている。
【００２５】
ソケット３は周知であるので、詳細な説明及び図示を省略して簡単に説明すると、ソケット３内には、複数のボール（被係合体に相当する）が、進退筒３ａが後退した状態ではソケット３の径方向外方への移動を許容し且つ進退筒３ａが進出した状態では径方向外方への移動を阻止する状態で、周方向に分散して装入されている。
【００２６】
図１〜図３に示すように、ガスコンセント１のプラグ２は、先端（図１〜図３において２ｔで示す部分）側が小径となる２段円筒状に形成されて、ガスコンセント１のコンセント本体部１ａから突出するように設けられ、基端側の大径部の外周には、円環溝２ａが形成され、且つ、円環溝２ａより基端側にコンセント本体部１ａとにより大径の段部２ｂが設けられている。
プラグ２の先端側の小径部分の外周には、ソケット３内に装入されている複数のボールが係脱自在な凹溝部２ｄが、外周部の全周にわたる環状に設けられている。
そして、脱レバー５の装着を目的として、図６にも示すように、ほぼＣ字状の装着軸４ａとその両端から一体的に延出する一対の延出軸４ｂからなる金属線材製の支持軸４が、その円環溝２ａ内に相対回動自在に嵌入され、その支持軸４の両延出軸４ｂに脱レバー５が揺動自在に取り付けられている。
【００２７】
脱レバー５は、プラグ２にソケット３が外嵌接続されたソケット接続状態を解除するために、プラグ２の側方に位置するように設けられるものである。そして、脱レバー５は、図１〜図３、図５及び図６に示すように、プラグ２から離間する側に切り欠き部５ｄ（図５及び図６参照）を有する二股状に形成されてプラグ２から側方へ突出する二股操作部５ａ、同じく二股状に形成されてプラグ２の側方に位置する解除作動部５ｂ、及び、その二股状の二股操作部５ａ及び二股状の解除作動部５ｂを連結する連結部５ｃなどを備えて構成されている。そして、その解除作動部５ｂの連結部５ｃ近傍が、支持軸４の延出軸４ｂ（軸部に相当する）により揺動自在に支持されて、脱レバー５がプラグ２の軸心方向に揺動自在に構成されている。
ちなみに、脱レバー５の二股操作部５ａは、連結部５ｃからプラグ２の先端側で且つ径方向外方に向く斜め方向に延びる部分と、その部分の先端からプラグ２の径方向外方に向けて延びる部分とからなる屈曲状に構成されている。
【００２８】
つまり、ソケット接続状態を解除するために脱レバー５に備えられる操作部が、二股操作部５ａとして構成されていることになる。
又、脱レバー５が、支持軸４の延出軸４ｂにより揺動自在に支持された解除作動部５ｂを備えると共に、二股操作部５ａを支持軸４の延出軸４ｂから解除作動部５ｂとは反対側に延びる状態で備えることになる。
【００２９】
図１〜図３及び図６に示すように、脱レバー５を支持する支持軸４の両延出軸４ｂには、１本のコイルバネ６の両端部が巻き付けられて脱レバー５の解除作動部５ｂにそれぞれ接当され、そのコイルバネ６の中間部がプラグ２の外周面に接当され、それによって、脱レバー５が一定の方向、つまり、脱レバー５の二股操作部５ａがプラグ２の先端側へ、解除作動部５ｂがプラグ２の基端側へ弾性的に揺動付勢されるとともに、脱レバー５の解除作動部５ｂがプラグ２の段部２ｂに接当するように構成されている。
すなわち、脱レバー５の揺動範囲は、プラグ２の段部２ｂにより規制され、解除作動部５ｂが、段部２ｂよりもプラグ２の先端側においてのみ揺動するように設定され、通常は、コイルバネ６によって、解除作動部５ｂが段部２ｂに接当する解除待機状態（図１に示す姿勢）に維持されている。
つまり、脱レバー５が、解除作動部５ｂがプラグ２の段部２ｂに当接した解除待機状態から、二股操作部５ａの揺動操作により解除作動部５ｂが段部２ｂから離間してソケット接続状態を解除するように構成されていることになる。
【００３０】
更に、コイルバネ６の中間部には、外側へ突出するように折曲された折曲部６ａが設けられ、その折曲部６ａがプラグ２の外周面に設けられた複数本の突条２ｃのいずれかに係合することにより、脱レバー５の位置が位置決めされるように構成されている。
すなわち、脱レバー５は、支持軸４がプラグ２の円環溝２ａ内で回動することにより、プラグ２の周りに回動自在に構成され、その脱レバー５の回動に伴ってコイルバネ６も一緒に回動し、コイルバネ６の折曲部６ａが突条２ｃ（本実施例では、９０度の角度を置いて３本の突条２ｃが設けられている）に係合する位置で、脱レバー５が位置決めされるように構成されている。
【００３１】
そして、ソケット３をプラグ２に被せて押し込むと、進退筒３ａが解除待機状態の脱レバー５の解除作動部５ｂに当接して後退させられて、ソケット３内の複数のボールがプラグ２の環状の凹溝部２ｄに嵌まり込むと共に、それに伴って進退筒３ａが進出し、それによって、複数のボールがプラグ２の環状の凹溝部２ｄに係合されて、図２に示すように、ソケット３がプラグ２に外嵌接続されるソケット接続状態となる。
ソケット接続状態で、図３に示すように、脱レバー５の二股操作部５ａをプラグ２の基端側へ押し込むと、解除作動部５ｂが解除待機状態からプラグ２の先端側へ揺動されて、ソケット３の進退筒３ａが後退させられ、それによって、プラグ２からソケット３が外れて、ソケット接続状態が解除されるように構成されている。
【００３２】
次に、このようなガスコンセント１を壁面形成材Ｗの裏面側に取り付けるための構成について説明する。
図１〜図４に示すように、ガスコンセント１は、取付部材２０を用いて壁面形成材Ｗの裏面側に取り付けられる。この取付部材２０は、開口部Ｗ１の開口縁に沿って壁面形成材Ｗの表面側に取り付けられる矩形枠状の表側枠体２１、開口部Ｗ１の開口縁に沿って壁面形成材Ｗの裏面側に取り付けられる矩形枠状の裏側枠体２２、及び、その裏側枠体２２の裏面側に間隔を開けて取り付けられる取付台２３等を備えて構成されている。
【００３３】
表側枠体２１と裏側枠体２２とは、それらの間に壁面形成材Ｗを介在させた状態で複数のネジ２４により連結することにより、壁面形成材Ｗの表裏に取り付けられる。
裏側枠体２２の裏面側には、複数の突片２２ａが壁面形成材Ｗの奥側に向けて突設され、これら複数の突片２２ａの先端に、取付台２３が複数のネジ２５により取り付けられる。
そして、ガスコンセント１が、裏側枠体２２と取付台２３との間に位置させた状態で、複数のネジ２６により取付台２３に取り付けられることにより、ガスコンセント１が壁面形成材Ｗの裏面側に埋め込み状で取り付けられる。
【００３４】
更に、壁面形成材Ｗの開口部Ｗ１を覆う表カバー３０が、表側枠体２１に着脱自在に取り付けられるように構成されている。
図１〜図３及び図５に示すように、この表カバー３０の裏面側には、取付部材２０に取り付けられたガスコンセント１のプラグ２の先端を臨ませる円筒状部３１が突設され、表面側には、底面に円筒状部３１が開口し且つその開口部の側方に細長矩形状の扉体挿通孔３２が開口する形態で、矩形状の凹部３３が形成されている。
そして、表カバー３０には、円筒状部３１の表側を開閉する矩形状の扉体３８が、凹部３３に嵌まり込んで円筒状部３１の表側を閉じる倒れ姿勢（図１参照）と面方向がプラグ２の軸心に沿う姿勢で扉体挿通孔３２に挿通される状態となって円筒状部３１の表側を開く立ち姿勢（図２参照）とに切り換え自在で、且つ、立ち姿勢においてプラグ２の軸心に沿う方向に往復移動操作自在に設けられている。
【００３５】
表カバー３０に対する扉体３８の支持構成について、説明を加える。
図１〜図３及び図５に示すように、表カバー３０の裏面側には、その裏面側に延びる一対の案内部３４が、円筒状部３１における径方向一端側に偏った位置でその円筒状部３１を挟む形態で設けられ、それら一対の案内部３４に、押し込み部材３５がプラグ２の軸心に沿う方向に移動自在に支持されている。
倒れ姿勢での扉体３８における扉体挿通孔３２側の端部の両側部には、一対のアーム部３８ａが裏面側に延びる形態で延設され、これら一対のアーム部３８ａが一対の枢支部３６にて押し込み部材３５の両側部に枢支されている。
そして、扉体３８と押し込み部材３５との一対の枢支部３６が、一対の案内部３４にプラグ２の軸心に沿う方向に移動自在に支持されている。
更に、一対のコイルバネ３７が、一対のアーム部３８ａと表カバー３０の裏面とにわたって伸び状態で接続されてトグル機構が構成されている。
【００３６】
つまり、図１〜図３に示すように、扉体３８は、押し込み部材３５に支持された状態で、トグル機構によって一対の枢支部３６を軸心とする揺動により倒れ姿勢と立ち姿勢とに切り換え自在に構成されている。
そして、図２及び図３に示すように、扉体３８を立ち姿勢にすると、その立ち姿勢の扉体３８は、扉体挿通孔３２を通して、押し込み部材３５と一体的にプラグ２の軸心に沿う方向に移動自在となる。
【００３７】
図２に示すように、扉体３８を立ち姿勢にした状態で、ソケット３を表カバー３０の円筒状部３１を通して押し込むと、ソケット３がプラグ２に接続される。
ソケット３をガスコンセント１のプラグ２から取り外すときは、図３に示すように、立ち姿勢の扉体３８を一対のコイルバネ３７の付勢力に抗して壁面の奥側に押し込む。
すると、扉体３８と一体的に押し込み部材３５が壁面の奥側に移動して、その押し込み部材３５により脱レバー５の二股操作部５ａがプラグ２の基端側に押し込まれ、それに伴って、脱レバー５の解除作動部５ｂがプラグ２の先端側に揺動されて、ソケット３の進退筒３ａが後退させられるので、ソケット３がプラグ２から取り外される。
扉体３８を壁面の奥側に押し込む力を解除すると、一対のコイルバネ３７の付勢力により、扉体３８と押し込み部材３５が一体的に壁面の手前側に戻され、扉体３８を倒すと、円筒状部３１の表側を閉じることができる。
【００３８】
このようなガスコンセント１には、図７〜図１０に示すように、ガスコンセント用の保護キャップ７が被せられる。
この第１実施形態では、保護キャップ７には、プラグ２に被せる有底円筒状のキャップ本体部８、キャップ本体部８がプラグ２に被せられた被冠状態で、脱レバー５における少なくともプラグ２の先端（図８において２ｔで示す部分）側を覆うレバー覆い部１０、及び、被冠状態でガスコンセント１の脱レバー５に係合してキャップ本体部８がプラグ２から離脱するのを防止し且つ脱レバー５に対する係合を解除可能な係合部Ｒａが一体的に備えられている。
そして、レバー覆い部１０が、二股操作部５ａにおける少なくともプラグ２の先端（図８において２ｔで示す部分）側の面を覆うように構成されている。
【００３９】
図７〜図１０に基づいて、保護キャップ７について、説明を加えると、キャップ本体部８の開口縁部にはフランジ部９が一体的に設けられている。
レバー覆い部１０は、二股操作部５ａを覆う一対のカバー部１０ａを備え、且つ、それら一対のカバー部１０ａがキャップ本体部８の側方に突出する形態でキャップ本体部８にフランジ部９を介して支持されている。
更に、各カバー部１０ａの先端部の外側縁部には、キャップ本体部８の底部側とは反対側へ向けて延びる舌片１０ｂが一体的に突設されている。
つまり、保護キャップ７のレバー覆い部１０は、一対のカバー部１０ａと、各カバー部１０ａの先端部の外側縁部にキャップ本体部８の底部側とは反対側へ向けて夫々突設された一対の舌片１０ｂとを備えて構成されている。
ちなみに、各カバー部１０ａは、二股操作部５ａの屈曲形状に対応する屈曲状、即ち、基端からキャップ本体部８の底部側で且つ径方向外方に向く斜め方向に延びる部分と、その部分の先端からキャップ本体部８の径方向外方に向けて延びる部分とからなる屈曲状に構成されている。
【００４０】
この第１実施形態では、係合部Ｒａが棒状の鉤状体１４にて構成され、その鉤状体１４が、その長手方向をキャップ本体部８の軸心に沿わせて一対のカバー部１０ａの間を通る姿勢で、その長手方向の中間部が一対のカバー部１０ａに揺動部材１５にて支持された状態で設けられている。
そして、キャップ本体部８がプラグ２に被せられるに伴って、揺動部材１５の弾性変形により、鉤状体１４が、その長手方向をキャップ本体部８の軸心に沿わせて二股操作部５ａの切り欠き部５ｄを通る姿勢で、二股操作部５ａの連結部５ｃに係合するように構成されている。
ちなみに、鉤状体１４の先端の鉤部１４ａは、キャップ本体８の側に向けて内側に屈曲していて、鉤部１４ａが二股操作部５ａの連結部５ｃに外側から係合する構成となっている。
【００４１】
更に、一対のカバー部１０ａの先端が、連結部１２により連結され、補強用のリブ１３が、各カバー部１０ａにおけるキャップ本体部８の底部側に位置する状態で、一対のカバー部１０ａの夫々とキャップ本体部８とに跨って、カバー部１０ａの突出方向に沿って設けられている。
【００４２】
そして、この保護キャップ７全体が、つまり、キャップ本体部８、フランジ部９、レバー覆い部１０、連結部１２、リブ１３、鉤状体１４、及び、揺動部材１５が、シリコン樹脂等による樹脂成形により弾性を有するように一体的に形成されている。
つまり、保護キャップ７をガスコンセント１に被せるのに伴って、係合部Ｒａ（具体的には鉤状体１４）やそれを支持する揺動部材１５が弾性変形して係合部Ｒａが脱レバー５に係合すると共に、その係合状態が係合部Ｒａやそれを支持する揺動部材１５の弾性により保持される。
又、保護キャップ７をガスコンセント１から取り外すときは、係合部Ｒａやそれを支持する揺動部材１５を弾性変形させて、係合部Ｒａと脱レバー５との係合を解除することができる。
従って、バネ等の付勢手段を別に設けることなく、脱レバー５に対する係合部Ｒａの係脱及び係合状態の保持ができるので、保護キャップ１の低廉化を図ることができる。
【００４３】
上述のように構成した保護キャップ７は、ガスコンセント１の保管中は勿論、ガスコンセントを設置場所に運送する間、並びに、ガスコンセント１を壁面形成材Ｗの裏面に取り付けた後、表カバー３０を取り付けるまでの間、ガスコンセント１に被せたままにする。
そして、保護キャップ７をガスコンセント１に被せるときは、例えば、親指と人差し指等の２本の指で一対のリブ１３を挟んだ状態で保護キャップ７を持って、鉤状体１４の先端が脱レバー５の二股操作部５ａの間を通るように位置させた状態で、ガスコンセント１に向けて押し込む。すると、図９及び図１０に示すように、キャップ本体部８がプラグ２に被せられると共に、レバー覆い部１０の一対のカバー部１０ａ及びそれらの先端部の一対の舌片１０ｂにより、二股操作部５ａにおけるプラグ２の先端側の面及びそのプラグ２の軸心方向視において両横側が覆われ、並びに、揺動部材１５の弾性変形により、鉤状体１４の先端の鉤部１４ａが二股操作部５ａの連結部５ｃに係合されて、保護キャップ７がガスコンセント１から離脱するのが防止される。
この係合状態では、脱レバー５の解除作動部５ｂがプラグ２の段部２ｂに当接して、脱レバー５の二股操作部５ａは鉤状体１４との係合を解除する方向には揺動しないものとなる。
そして、保護キャップ７を脱レバー５の二股操作部５ａに係合させる構成としたので、ガスコンセント１の組み立て時に、脱レバー５の組み付け忘れや組み付け状態の不良があると、保護キャップ７をガスコンセント１に被せても脱レバー５の二股操作部５ａへの係合ができない。
よって、製造段階における保護キャップ７の取付時に、脱レバー５の取付不備を検知することができる。
【００４４】
保護キャップ７をガスコンセント１に被せた状態で、保護キャップ７を回動すると、一対の舌片１０ｂのいずれか一方が二股操作部５ａに当接するので、保護キャップ７と脱レバー５との相対位置関係を維持した状態で、脱レバー５も保護キャップ７と一緒に回動させることができる。
従って、ガスコンセント１に接続するガス管Ｐの種々の配管形態に応じて、ガスコンセント１の取付姿勢が種々に変動しても、ガスコンセント１に被せた保護キャップ７を回動することにより、保護キャップ７による脱レバー５の保護状態を維持しながら、脱レバー５の二股操作部５ａを表カバー３０の扉体３８の位置に適応した位置に位置させることができる。
【００４５】
保護キャップ７をガスコンセント１から取り外すときは、親指と中指で一対のリブ１３挟んだ状態で、人差し指で棒状の鉤状体１４の上端を手前に引くと、図１１に示すように、鉤部１４ａと二股操作部５ａの連結部５ｃとの係合が解除され、その状態で保護キャップ７を引き出す。
そして、このように保護キャップ７をガスコンセント１から取り外した後に、図１に示すように、表カバー３０を表側枠体２１に取り付ける。
ところで、ガスコンセント１に保護キャップ７を被せたままで表カバー３０を表側枠体２１に取り付けようとしても、表カバー３０の押し込み部材３５等が保護キャップ７の鉤状体１４の頂部等に当たって、表カバー３０を押し込むことができない。
従って、保護キャップ７がガスコンセント１に被せられているのも拘わらず、表カバー３０が取り付けられるのを防止することができる。
【００４６】
〔第２実施形態〕
次に、第２実施形態を説明するが、この第２実施形態は、保護キャップ７の別の実施形態を説明するものであり、ガスコンセント１の構成及びそのガスコンセント１を壁面形成材Ｗに取り付ける構成は上記の第１実施形態と同様であるので、それらの構成の説明は省略して、主として、保護キャップ７について説明する。
【００４７】
図１２に示すように、この第２実施形態の保護キャップ７は、上記の第１実施形態と同様のキャップ本体部８及びレバー覆い部１０に加えて、被冠状態でガスコンセント１の被係合部Ｒｐに係合してキャップ本体部８がプラグ２から離脱するのを防止し且つ被係合部Ｒｐに対する係合を解除可能な係合部Ｒｂを一体的に備えて構成されている。
そして、プラグ２の凹溝部２ｄが被係合部Ｒｐとして機能するように構成され、係合部Ｒｂとして、キャップ本体部８がプラグ２に被せられるに伴ってプラグ２の凹溝部２ｄに嵌まり込む突起部８ａがキャップ本体部８の内面に設けられている。
この第２実施形態では、複数（この第２実施形態では４個）の突起部８ａが、キャップ本体部８の内面に周方向に分散させて設けられている。
【００４８】
この第２実施形態でも、第１実施形態と同様に、保護キャップ７全体が、つまり、キャップ本体部８、突起部８ａ、フランジ部９、レバー覆い部１０、連結部１２、及び、リブ１３が、シリコン樹脂等による樹脂成形により弾性を有するように一体的に形成されている。
【００４９】
〔別実施形態〕
次に別実施形態を説明する。
（イ）  脱レバー５に係合する係合部Ｒａを保護キャップ７に備えさせる場合、脱レバー５において係合部Ｒａを係合させる箇所は、上記の第１実施形態において例示した箇所、即ち、二股操作部５ａの連結部５ｃに限定されるものではなく、例えば、図１３に示すように、脱レバー５の二股状の解除作動部５ｂでも良い。
この場合、係合部Ｒａとしては、キャップ本体部８がプラグ２に被せられるに伴って、二股状の解除作動部５ｂに係合するように、一対の第１係合体１６を、保護キャップ７のフランジ部９にキャップ本体部８の開口縁部よりも軸心方向に突出する形態で設ける。
各第１係合体１６の先端には、内側に屈曲する屈曲部１６ａが設けられ、この屈曲部１６ａが各解除作動部５ｂに係合する。
【００５０】
（ロ）  脱レバー５に備える操作部の具体例は、上記の実施形態で例示した二股操作部５ａに限定されるものではなく、例えば、１枚の板状体からなる板状操作部としても良い。この場合、鉤状体１４の鉤部１４ａが板状操作部の例えば先端縁部に係合する構成とすることができる。
【００５１】
（ハ）  上記の実施形態では、ガスコンセント１にプラグ２が１個備えられていたが、複数（例えば２個）のプラグ２を備えたガスコンセント１については、複数のプラグ２の夫々に本発明に係る保護キャップ７を被せることになる。
【産業上の利用可能性】
【００５２】
以上説明したように、ガスコンセントを保護する性能を向上し得るガスコンセント用の保護キャップを提供することができる。
【符号の説明】
【００５３】
１      ガスコンセント
２      プラグ
２ｂ    段部
２ｄ    凹溝部
３      ソケット
４ｂ    延出軸（軸部）
５      脱レバー
５ａ    二股操作部（操作部）
５ｂ    解除作動部
５ｃ    連結部
５ｄ    切り欠き部
７      ガスコンセント用の保護キャップ
８      キャップ本体部
８ａ    突起部
１０    レバー覆い部
１０ａ  カバー部
１３    リブ
Ｒａ    係合部
Ｒｂ    係合部
Ｒｐ    被係合部
【図１】
0005666856.tif 000002
【図２】
0005666856.tif 000003
【図３】
0005666856.tif 000004
【図４】
0005666856.tif 000005
【図５】
0005666856.tif 000006
【図６】
0005666856.tif 000007
【図７】
0005666856.tif 000008
【図８】
0005666856.tif 000009
【図９】
0005666856.tif 000010
【図１０】
0005666856.tif 000011
【図１１】
0005666856.tif 000012
【図１２】
0005666856.tif 000013
【図１３】
0005666856.tif 000014